(57)【要約】【課題】他の拠点でのキーや信号処理を気にすることなく、各拠点において好みのキー設定や信号処理を施すことのできる通信カラオケシステムを提供する。【解決手段】カラオケ装置１０Ａで指定したカラオケ曲の伴奏音データ（ＭＩ）のオリジナルキー（ｎ）をキーコントローラー３Ａで指定キー（ｎ＋ｐ）に変更する。カラオケ装置１０Ｂに送信するデータは、指定キー（ｎ＋ｐ）に変更した伴奏音データ（ＭＩ）と、ユーザ３０Ａの歌唱データ（Ｖｏ．Ａ）とのミックスデータとする。カラオケ装置１０Ｂでは、指定キー（ｎ＋ｐ）に変更した伴奏音データ（ＭＩ）と、ユーザ３０Ａの歌唱データ（Ｖｏ．Ａ）のキー（ｎ＋ｐ）を、カラオケ装置１０Ｂで指定したキー（ｎ＋ｐ＋ｑ）に変更して再生する。カラオケ装置１０Ａへのユーザ３０Ｂの歌唱データ（Ｖｏ．Ｂ）の送信は、キーコントローラー３Ｂでキー（ｎ＋ｐ＋ｑ）からキー（ｎ＋ｐ）に変更した上で行う。【選択図】図１
2013217953.tif 000002
【特許請求の範囲】
【請求項１】
第一入力音データを入力する入力手段と、
前記第一入力音データと、他の音響処理装置に入力され当該他の音響処理装置から送信される第二入力音データとを再生する再生手段と、
前記第一入力音データを前記他の音響処理装置に送信する送信手段と、
前記第一入力音データまたは前記第二入力音データの少なくとも何れか一方の音高を変更する音高変更手段または前記第一入力音データまたは前記第二入力音データの少なくとも何れか一方の音色を加工する音色加工手段の少なくとも何れか一方と、を備えた、
ことを特徴とする音響処理装置。
【請求項２】
前記音高変更手段は、前記送信手段によって送信される前記第一入力音データの音高を、前記他の音響処理装置で指定された第二の指定に従って変更すると共に、前記第二入力音データの音高を、当該音響処理装置で指定された第一の指定に従って変更する手段であることを特徴とする請求項１に記載の音響処理装置。
【請求項３】
前記音高変更手段は、第一入力音データまたは第二入力音データの音高を、基準となるデータに対して一定の関係を有するように変更する手段であることを特徴とする請求項１に記載の音響処理装置。
【請求項４】
前記音高変更手段は、入力音データのキーを変更する手段、または、入力音データが基準となる音データに対してハーモニーを構成するように入力音データの音高を変更する手段、あるいは、入力音データの音高が基準となる音データの音高に対して所定の関係を有するように、入力音データの音高を変更する手段の少なくともいずれか一の手段であることを特徴とする請求項１ないし請求項３のいずれか一に記載の音響処理装置。
【請求項５】
前記再生手段は、前記第一入力音データおよび第二入力音データに加えて楽曲データを再生する手段であり、
前記第一入力音データおよび第二入力音データは歌唱データであり、
前記音高変更手段は、前記歌唱データまたは前記楽曲データの音高を変更する手段である、
ことを特徴とする請求項１ないし請求項４のいずれか一に記載の音響処理装置。
【請求項６】
相互に通信可能に接続された第一の音響処理装置と第二の音響処理装置とを少なくとも含み、各音響処理装置に入力された入力音が相互に通信されて再生される通信音響処理システムであって、
前記第一の音響処理装置に設けられ、前記第一の音響処理装置に入力された第一入力音データと前記第二の音響処理装置から送信される第二入力音データとを再生する第一再生手段と、
前記第一入力音データを前記第二の音響処理装置に送信する第一送信手段と、
前記第二の音響処理装置に設けられ、前記第二の音響処理装置に入力された第二入力音データと前記第一の音響処理装置から送信される第一入力音データとを再生する第二再生手段と、
前記第二入力音データを前記第一の音響処理装置に送信する第二送信手段と、
前記第一の音響処理装置から送信される第一入力音データの音高を変更する第一音高変更手段、または、前記第一入力音データまたは前記第二入力音データの少なくとも何れか一方の音色を加工する第一音色加工手段の少なくとも何れか一方と、
前記第二の音響処理装置から送信される第二入力音データの音高を変更する第二音高変更手段、または、前記第二入力音データまたは前記第一入力音データの少なくとも何れか一方の音色を加工する第二音色加工手段の少なくとも何れか一方と、を備えた、
ことを特徴とする通信音響処理システム。
【発明の詳細な説明】
【技術分野】
【０００１】
本発明は、相互に通信可能に接続された複数のカラオケ装置を含み、各カラオケ装置では同一の楽曲が同時に再生され、各カラオケ装置に入力された歌唱音に対して何等かの信号処理を行い、その信号処理を各カラオケ装置で独立に制御可能な通信カラオケシステムの技術に関する。
【背景技術】
【０００２】
遠隔デュエットを目的として、多拠点間を通信網を介して接続し、映像や音声をやり取りするカラオケシステムが従来から提案されている（例えば特許文献１）。また、歌唱者のＩＤや歌唱希望の楽曲情報、あるいはパート情報、もしくはキーコントロール等の演奏情報をサーバに登録し、条件にマッチするデュエット希望者の応募を受け付けるシステムが提案されている（例えば特許文献２または特許文献３）。このシステムでは、デュエット相手が現れた場合には、その楽曲に限って遠隔デュエットを頼めるようにシステムと通信網の経路が制御されるようになっている。
【先行技術文献】
【特許文献】
【０００３】
【特許文献１】特開２００５−７７４８５号公報
【特許文献２】特許第４０６２３２８号
【特許文献３】特許第４１００４２４号
【発明の概要】
【発明が解決しようとする課題】
【０００４】
しかしながら、特許文献１〜３のシステムは、楽曲単位でエントリーを行ってデュエット相手を探し、歌唱するシステムであり、歌唱音のキーを変更したり、歌唱音に対して信号処理を行うという操作を、それぞれの拠点で独立に行うということはできない。
【０００５】
また、同一の空間においてカラオケのデュエットを行う場合には、互いの好みにあったカラオケのキーを設定することはできず、いずれかの歌唱者の好みのキーに合わせるしかない。また、同一の空間において、個々の歌唱音に別々の信号処理を施してしまうと、お互いに歌いにくくなってしまう。
【０００６】
以上の事情を考慮して、本発明は、他の拠点におけるキーや信号処理を気にすることなく、それぞれの拠点において好みのキー設定や信号処理を施すことのできる音響処理装置および通信音響処理システムを提供することを目的とする。
【課題を解決するための手段】
【０００７】
以上の課題を解決するために、本発明の音響処理装置は、第一入力音データを入力する入力手段と、前記第一入力音データと、他の音響処理装置に入力され当該他の音響処理装置から送信される第二入力音データとを再生する再生手段と、前記第一入力音データを前記他の音響処理装置に送信する送信手段と、前記第一入力音データまたは前記第二入力音データの少なくとも何れか一方の音高を変更する音高変更手段または前記第一入力音データまたは前記第二入力音データの少なくとも何れか一方の音色を加工する音色加工手段の少なくとも何れか一方とを備える。
【０００８】
以上の構成においては、一の音響処理装置で入力された第一入力音データは、他の音響処理装置から送信される第二入力音データと共に、再生手段によって再生される。また、第一入力音データは、送信手段によって他の音響処理装置に送信され、他の音響処理装置において、他の音響処理装置で入力された第二入力音データと共に、再生手段によって再生される。この際、第一入力音データまたは第二入力音データの少なくとも何れか一方の音高は、音高変更手段によって変更が可能となっている。あるいは、第一入力音データまたは第二入力音データの少なくとも何れか一方の音色は、音色加工手段によって加工が可能となっている。
従って、前記一の音響処理装置と他の音響処理装置のそれぞれにおいて独立して音高が変更された入力音データの再生が行われ、各拠点でどのような音高に変更したのかに拘わらず、またはどのような音色に加工したかに拘わらず、それぞれの拠点で所望の音高または音色による入力音データの再生を行えるという利点がある。
【０００９】
本発明の好適な第一の態様に係る音響処理装置において、前記音高変更手段は、前記送信手段によって送信される前記第一入力音データの音高を、前記他の音響処理装置で指定された第二の指定に従って変更すると共に、前記第二入力音データの音高を、当該音響処理装置で指定された第一の指定に従って変更する手段としてもよい。
このように構成することにより、一の音響処理装置においては、第二入力音データは、第一の指定に従って音高の変更が行われて、第一入力音データと共に当該一の音響処理装置で再生される。また、前記他の音響処理装置においては、第二の指定に従って音高が変更された第一入力音データの再生が行われ、この再生に合わせて入力される第二入力音データの再生が行われる。従って、前記一の音響処理装置と第二の音響処理装置のそれぞれにおいて、それぞれの指定に従った音高の変更が行われて再生が行われる。その結果、それぞれの指定に従った音高が異なる場合であっても、違和感なく再生が行われることになる。
【００１０】
本発明の好適な第二の態様に係る音響処理装置において、前記音高変更手段は、第一入力音データまたは第二入力音データの音高を、基準となるデータに対して一定の関係を有するように変更する手段としてもよい。
このように構成することにより、それぞれの音響処理装置において、入力音データの音高を適切に変更して相手方に送信することができ、また、相手方に知られずに相手方の入力音データの音高を適切に変更して楽しむことができるという利点がある。
【００１１】
本発明の好適な第三の態様に係る音響処理装置において、前記音高変更手段は、入力音データのキーを変更する手段、または、入力音データが基準となる音データに対してハーモニーを構成するように入力音データの音高を変更する手段、あるいは、入力音データの音高が基準となる音データの音高に対して所定の関係を有するように、入力音データの音高を変更する手段の少なくともいずれか一の手段としてもよい。
このように構成することにより、それぞれの音響処理装置において、相手方から送信される入力音データのキーを適切に変更したり、相手方から送信される入力音データをハーモニーを構成するように変更したり、あるいは、自分自身の装置における入力音データのピッチを適正に変更したりすることを、相手方に知られずに実行することができるという利点がある。
【００１２】
本発明の好適な第四の態様に係る音響処理装置において、前記再生手段を、前記第一入力音データおよび第二入力音データに加えて楽曲データを再生する手段とし、前記第一入力音データおよび第二入力音データを歌唱データとし、前記音高変更手段を、前記歌唱データまたは前記楽曲データの音高を変更する手段としてもよい。
このように構成することにより、それぞれの音響処理装置において、例えばカラオケなどの入力音データである歌唱データの音高を適切に変更して相手方に送信することができ、また、相手方に知られずに相手方の歌唱データや楽曲データの音高を適切に変更して楽しむことができるという利点がある。
【００１３】
本発明の好適な第五の態様に係る音響処理装置において、前記第二入力音データの音色を加工する音色加工手段をさらに備えるようにしてもよい。このように構成することにより、相手に知られずに相手の入力音データの音色を加工して楽しむことができる。
【００１４】
以上の課題を解決するために、本発明の通信音響処理システムは、相互に通信可能に接続された第一の音響処理装置と第二の音響処理装置とを少なくとも含み、各音響処理装置に入力された入力音が相互に通信されて再生される通信音響処理システムであって、前記第一の音響処理装置に設けられ、前記第一の音響処理装置に入力された第一入力音データと、前記第二の音響処理装置から送信される第二入力音データとを再生する第一再生手段と、前記第一入力音データを前記第二の音響処理装置に送信する第一送信手段と、前記第二の音響処理装置に設けられ、前記第二の音響処理装置に入力された第二入力音データと、前記第一の音響処理装置から送信される第一入力音データとを再生する第二再生手段と、前記第二入力音データを前記第一の音響処理装置に送信する第二送信手段と、前記第一の音響処理装置から送信される第一入力音データの音高を変更する第一音高変更手段、または、前記第一入力音データまたは前記第二入力音データの少なくとも何れか一方の音色を加工する第一音色加工手段の少なくとも何れか一方と、前記第二の音響処理装置から送信される第二入力音データの音高を変更する第二音高変更手段、または、前記第二入力音データまたは前記第一入力音データの少なくとも何れか一方の音色を加工する第二音色加工手段の少なくとも何れか一方とを備えたことを特徴とする。
【００１５】
以上の構成においては、第一の音響処理装置で入力された第一入力音データは、第二の音響処理装置から送信される第二入力音データと共に、第一の音響処理装置における第一再生手段によって再生される。また、第一入力音データは、第一送信手段によって第二の音響処理装置に送信され、第二の音響処理装置において、第二の音響処理装置で入力された第二入力音データと共に、第二再生手段によって再生される。この際、第一の音響処理装置から送信される第一入力音データの音高は、第一音高変更手段によって変更が可能となっている。また、第二の音響処理装置から送信される第二入力音データの音高も、第二音高変更手段によって変更が可能となっている。
従って、第一の音響処理装置と第二の音響処理装置のそれぞれにおいて独立して音高が変更された入力音データの再生が行われ、各拠点でどのような音高に変更したのかに拘わらずそれぞれの拠点で所望の音高による入力音データの再生を行えるという利点がある。
【図面の簡単な説明】
【００１６】
【図１】本発明の第１実施形態に係る通信カラオケシステムのブロック図である。
【図２】本発明の第２実施形態に係る通信カラオケシステムのブロック図である。
【図３】本発明の第３実施形態に係る通信カラオケシステムのブロック図である。
【図４】本発明の第４実施形態に係る通信カラオケシステムのブロック図である。
【発明を実施するための形態】
【００１７】
＜Ａ：第１実施形態＞
図１は、本発明の第１実施形態に係る通信カラオケシステム１００のブロック図である。図１に示すように、通信カラオケシステム１００は、拠点Ａに設置されたカラオケ装置１０Ａと、拠点Ｂに設置されたカラオケ装置１０Ｂとを備える。カラオケ装置１０Ａとカラオケ装置１０Ｂは、インターネットやＬＡＮなどのネットワーク２０を介して互いに通信可能に接続されている。
【００１８】
カラオケ装置１０Ａは、ユーザインターフェース１Ａ、ＣＰＵ２Ａ、キーコントローラー３Ａ、通信インターフェース４Ａ、曲データベース５Ａ、ミキサー６Ａ、アンプ７Ａを備えている。
【００１９】
ユーザインターフェース１Ａは、ユーザの操作に応じてカラオケ曲の曲目番号やタイトルを入力可能なインターフェースであり、例えば、拠点Ａにいるユーザ３０Ａが、このユーザインターフェース１Ａを操作して、所望のカラオケ曲を選択できるようになっている。また、後述するようなカラオケ曲のキーを変更する操作もこのユーザインターフェース１Ａにより可能になっている。
【００２０】
ＣＰＵ２Ａは、カラオケ装置１０Ａ全体を制御する制御手段であり、カラオケ装置１０Ａを構成する要素と接続されている。
【００２１】
キーコントローラー３Ａは、ユーザがユーザインターフェース１Ａを操作することにより、所望のキーを設定した場合に、カラオケ曲の原曲のキーを、その設定されたキーに変更する信号処理手段である。詳しくは後述する。
【００２２】
通信インターフェース４Ａは、カラオケ装置１０Ａとカラオケ装置１０Ｂとの間のデータの送受信を行うためのインターフェースである。
【００２３】
曲データベース５Ａは、カラオケ曲の曲データが記憶されたデータベースであり、ユーザがユーザインターフェース１Ａを操作することにより選択したカラオケ曲をミキサー６Ａに出力するようになっている。
【００２４】
ミキサー６Ａは、拠点Ａのユーザ３０Ａの歌唱音と、カラオケ曲の伴奏音と、カラオケ装置１０Ｂから送信されてきたユーザ３０Ｂの歌唱音とをミックスしてアンプ７Ａに出力する手段である。また、後述するように、ユーザ３０Ａの歌唱音とカラオケ曲の伴奏音とをミックスして、通信インターフェース４Ａに出力する。
【００２５】
アンプ７Ａは、ミキサー６Ａから出力されるユーザ３０Ａの歌唱音と、カラオケ曲の伴奏音と、カラオケ装置１０Ｂから送信されてきたユーザ３０Ｂの歌唱音とがミックスされた音を増幅し、このアンプ７Ａに接続されたスピーカ８Ａから出力する。
【００２６】
拠点Ａにおいては、ユーザ３０Ａの歌唱音は、カラオケ装置１０Ａに接続されたマイク９Ａにより収音され、ミキサー６Ａに入力される。
【００２７】
一方、カラオケ装置１０Ｂは、ユーザインターフェース１Ｂ、ＣＰＵ２Ｂ、キーコントローラー３Ｂ、通信インターフェース４Ｂ、ミキサー６Ｂ、アンプ７Ｂを備えている。曲データベース５Ａに相当するデータベースを備えていない点を除いては、カラオケ装置１０Ｂと同様の構成になっている。
【００２８】
ユーザインターフェース１Ｂは、ユーザの操作に応じてカラオケ曲のキーを変更可能とするインターフェースである。
【００２９】
ＣＰＵ２Ｂは、カラオケ装置１０Ｂ全体を制御する制御手段であり、カラオケ装置１０Ｂを構成する要素と接続されている。
【００３０】
キーコントローラー３Ｂは、ユーザがユーザインターフェース１Ｂを操作することにより、所望のキーを設定した場合に、カラオケ装置１０Ａから送信されてきたユーザ３０Ａの歌唱音とカラオケ曲のキーを、その設定したキーに変更する信号処理手段である。また、拠点Ｂのユーザ３０Ｂの歌唱音をカラオケ装置１０Ａに送信する際には、ユーザ３０Ｂの歌唱音のキーを、カラオケ装置１０Ａで設定されたキーに変更することも行う。詳しくは後述する。
【００３１】
通信インターフェース４Ｂは、カラオケ装置１０Ａとカラオケ装置１０Ｂとの間のデータの送受信を行うためのインターフェースである。
【００３２】
ミキサー６Ｂは、拠点Ｂのユーザ３０Ｂの歌唱音と、カラオケ装置１０Ａから送信されてきたカラオケ曲の伴奏音およびユーザ３０Ａの歌唱音とをミックスしてアンプ７Ｂに出力する手段である。また、後述するように、ユーザ３０Ｂの歌唱音を通信インターフェース４Ｂに出力する。
【００３３】
アンプ７Ｂは、ミキサー６Ｂから出力されるユーザ３０Ｂの歌唱音と、カラオケ曲の伴奏音と、ユーザ３０Ａの歌唱音とがミックスされた音を増幅し、このアンプ７Ｂに接続されたスピーカ８Ｂから出力する。
【００３４】
拠点Ｂにおいては、ユーザ３０Ｂの歌唱音は、カラオケ装置１０Ｂに接続されたマイク９Ｂにより収音され、ミキサー６Ｂに入力される。
【００３５】
[キーコントロール処理]
次に、本実施形態におけるカラオケ装置１０Ａとカラオケ装置１０Ｂのそれぞれにおいて独立に行われるキーコントロール処理について説明する。
以下の例では、拠点Ａのユーザ３０Ａがユーザインターフェース１Ａを操作して、カラオケ装置１０Ａに備えられた曲データベース５Ａの中から任意に選択したカラオケ曲で、拠点Ｂのユーザ３０Ｂと遠隔地デュエットを行う場合について説明する。
【００３６】
拠点Ａのユーザ３０Ａが、カラオケ曲を選択した後、ユーザインターフェース１Ａを操作して、カラオケ曲のキーをオリジナルキー(ｎ)を、このキーよりも高い指定キー（ｎ＋ｐ）に変更したとする。
【００３７】
その結果、ＣＰＵ２Ａを介してキーコントローラー３Ａが制御され、曲データベース５Ａから出力されるカラオケ曲の伴奏音データ(ＭＩ)は、オリジナルキー(ｎ)から指定キー（ｎ＋ｐ）に変更される。
【００３８】
このように指定キー（ｎ＋ｐ）にキーが変更されたカラオケ曲の伴奏音データ(ＭＩ)は、ミキサー６Ａおよびアンプ７Ａを介してスピーカ８Ａから伴奏音として出力され、ユーザ３０Ａは、この出力された音を聞きながら、変更された指定キー（ｎ＋ｐ）に合わせてマイク９Ａを使用して歌唱する。
【００３９】
ユーザ３０Ａの歌唱データ（Ｖｏ．Ａ）は、指定キー（ｎ＋ｐ）にキーが変更されたカラオケ曲の伴奏音データ(ＭＩ)とミキサー６Ａによってミックスされ、アンプ７Ａを介してスピーカ８Ａから歌唱音および伴奏音として出力される。また、ユーザ３０Ａの歌唱データ（Ｖｏ．Ａ）と伴奏音データ(ＭＩ)がミックスされたデータ（Ｖｏ．Ａ＋ＭＩ）は、通信インターフェース４Ａに出力され、通信インターフェース４ＡはＣＰＵ２Ａによって制御されてこの歌唱データ（Ｖｏ．Ａ）と伴奏音データ(ＭＩ)がミックスされたデータ（Ｖｏ．Ａ＋ＭＩ）をカラオケ装置１０Ｂに送信する。
【００４０】
また、カラオケ装置１０Ｂから送信されるユーザ３０Ｂの歌唱データ（Ｖｏ．Ｂ’）は、カラオケ装置１０Ｂにおいてキーが指定キー（ｎ＋ｐ）に変更されている。この歌唱データ（Ｖｏ．Ｂ’）が通信インターフェース４Ａを介してミキサー６Ａに入力される。したがって、ユーザ３０Ａの歌唱データ（Ｖｏ．Ａ）と、ユーザ３０Ｂの指定キー（ｎ＋ｐ）にキーが変更された歌唱データ（Ｖｏ．Ｂ’）と、指定キー（ｎ＋ｐ）にキーが変更されたカラオケ曲の伴奏音データ(ＭＩ)は、ミキサー６Ａにおいてミックスされ、アンプ７Ａを介してスピーカ８Ａから、それぞれの歌唱音とキーが変更されたカラオケ曲の伴奏音として出力されることになる。
【００４１】
一方、拠点Ｂにおいては、通信インターフェース４Ｂに入力されたユーザ３０Ａの歌唱データ（Ｖｏ．Ａ）と伴奏音データ(ＭＩ)がミックスされたデータ（Ｖｏ．Ａ＋ＭＩ）は、通信インターフェース４ＢがＣＰＵ２Ｂに制御されることによって、カラオケ装置１０Ｂに受信される。
【００４２】
カラオケ装置１０Ａから送信されてくるユーザ３０Ａの歌唱データ（Ｖｏ．Ａ）と伴奏音データ(ＭＩ)がミックスされたデータ（Ｖｏ．Ａ＋ＭＩ）は、ユーザ３０Ａによって、そのキーがオリジナルキー（ｎ）から、これよりも高い指定キー（ｎ＋ｐ）に変更されている。ユーザ３０Ｂは、この指定キー（ｎ＋ｐ）が自分のキーに合わないと感じた場合には、ミックスされたデータ（Ｖｏ．Ａ＋ＭＩ）のキーを、この指定キー（ｎ＋ｐ）よりも低いキー（ｎ＋ｐ＋ｑ）に変更する。
【００４３】
この処理は、ユーザ３０Ｂがユーザインターフェース１Ｂを操作することにより、低いキー（ｎ＋ｐ＋ｑ）への指定を行うと、ＣＰＵ２Ｂがキーコントローラ３Ｂを制御することにより実行される。
【００４４】
このようにして低いキー（ｎ＋ｐ＋ｑ）に変更されたミックスされたデータ（Ｖｏ．Ａ＋ＭＩ）と、マイク９Ｂを介して収音されたユーザ３０Ｂの歌唱データ（Ｖｏ．Ｂ）は、ミキサー６Ｂによってミックスされ、アンプ７Ｂを介してスピーカ８Ｂから、ユーザ３０Ａの歌唱音、カラオケ曲の伴奏音、そして、ユーザ３０Ｂの歌唱音として出力される。
【００４５】
また、同時に、ユーザ３０Ｂの歌唱データ（Ｖｏ．Ｂ）は、ミキサー６Ｂを介して通信インターフェース４Ｂに出力されるが、このユーザ３０Ｂの歌唱データ（Ｖｏ．Ｂ）は、ユーザ３０Ａが変更した高い指定キー（ｎ＋ｐ）よりも低いキー（ｎ＋ｐ＋ｑ）に変更された伴奏データに合わせて歌唱した歌唱データなので、やはりそのキーは、ユーザ３０Ａが変更した高い指定キー（ｎ＋ｐ）よりも低いキー（ｎ＋ｐ＋ｑ）になっている。
【００４６】
そこで、カラオケ装置１０ＢのＣＰＵ２Ｂが、キーコントローラ３Ｂを制御することにより、前記低いキー（ｎ＋ｐ＋ｑ）になっているユーザ３０Ｂの歌唱データ（Ｖｏ．Ｂ）のキーは、ユーザ３０Ａが変更した高い指定キー（ｎ＋ｐ）の歌唱データ（Ｖｏ．Ｂ’）となるように変更される。
【００４７】
このように指定キー（ｎ＋ｐ）にキーが変更されたユーザ３０Ｂの歌唱データ（Ｖｏ．Ｂ’）は、カラオケ装置１０Ａの通信インターフェース４Ａに入力され、カラオケ装置１０Ａに受信される。
【００４８】
したがって、拠点Ａにおいては、カラオケ曲の伴奏音は、ユーザ３０Ａが指定した指定キー（ｎ＋ｐ）で再生され、ユーザ３０Ａもこの指定キー（ｎ＋ｐ）に合わせて歌唱する。そして、カラオケ装置１０Ｂから送信されてくるユーザ３０Ｂの歌唱音も、そのキーが指定キー（ｎ＋ｐ）となるように変更されているので、ユーザ３０Ａは、同じ指定キー（ｎ＋ｐ）でユーザ３０Ｂとデュエットすることができる。
【００４９】
また、拠点Ｂにおいては、カラオケ装置１０Ａから送信されてくるユーザ３０Ａの歌唱音とカラオケ曲の伴奏音は、前記低いキー（ｎ＋ｐ＋ｑ）に変更されるので、ユーザ３０Ｂも自分に合ったキー（ｎ＋ｐ＋ｑ）で、ユーザ３０Ａとデュエットすることができる。
【００５０】
なお、本実施形態では、ユーザ３０Ａの歌唱データ（Ｖｏ．Ａ）とカラオケ曲の伴奏音データ（ＭＩ）とをミックスしてカラオケ装置１０Ａからカラオケ装置１０Ｂに送信する例について説明したが、ユーザ３０Ａの歌唱データ（Ｖｏ．Ａ）と、カラオケ曲の伴奏音データ（ＭＩ）とを別々のデータとして送信するようにしてもよい。
【００５１】
この場合、カラオケ装置１０Ａからカラオケ装置１０Ｂに送信するカラオケ曲の伴奏音データ（ＭＩ）は、オリジナルのキー（ｎ）のままでもよい。カラオケ装置１０Ｂにおいては、カラオケ曲の伴奏音データ（ＭＩ）のキーを、オリジナルのキー（ｎ）からユーザ３０Ｂが指定したキー（ｎ＋ｐ＋ｑ）に変更すると共に、ユーザ３０Ａの歌唱データのキー（ｎ＋ｐ）を、ユーザ３０Ｂが指定したキー（ｎ＋ｐ＋ｑ）に変更すればよい。
【００５２】
また、カラオケ装置１０Ｂ内で実行したキーの変更処理は、カラオケ装置１０Ａ内で実行するようにしてもよい。ユーザ３０Ｂがユーザインターフェース１Ｂを操作することにより指定したキーの情報が、カラオケ装置１０Ｂからカラオケ装置１０Ａに送信され、カラオケ装置１０Ａにおいてキーの変更処理が行われる。
【００５３】
さらに、カラオケ装置１０Ｂ内で実行したキーの変更処理は、両拠点を接続するネットワーク２０上の装置で実行するようにしてもよい。
【００５４】
つまり、カラオケ装置１０Ａにおいても、また、カラオケ装置１０Ｂにおいても、アンプによって再生される直前に、それぞれの拠点で設定したキーへの変更処理が行われていればよく、その変更処理を行う場所は任意に決めることができる。
【００５５】
以上のように、本実施形態によれば、遠隔地デュエットを行う場合に、それぞれの拠点において、それぞれの好みのキーでデュエットを楽しむことができる。
【００５６】
＜Ｂ：第２実施形態＞
次に、本発明の第２実施形態を図２に基づいて説明する。なお、第１実施形態との共通個所には同一符号を付して説明を省略する。
本実施形態は、ハーモニー再生を自動的に実行する通信カラオケシステム２００について説明する。なお、本実施形態のカラオケ装置１０Ａとカラオケ装置１０Ｂは、それぞれハーモニーデータベース１１Ａとハーモニーデータベース１１Ｂが備えられている点を除いては、第１実施形態のカラオケ装置１０Ａおよびカラオケ装置１０Ｂと同じ構成である。
【００５７】
本実施形態においても、拠点Ａのユーザ３０Ａがユーザインターフェース１Ａを操作して、カラオケ装置１０Ａに備えられた曲データベース５Ａの中から任意に選択したカラオケ曲で、拠点Ｂのユーザ３０Ｂと遠隔地デュエットを行う場合について説明する。
【００５８】
本実施形態のカラオケ装置１０Ａとカラオケ装置１０Ｂは、それぞれハーモニーデータベース１１Ａとハーモニーデータベース１１Ｂを備えている。それぞれのハーモニーデータベースはハーモニー用の譜面データが記録されており、所定のキーに対してとのキーを選択すればハーモニーが構成されるかがわかるようになっている。
【００５９】
ユーザ３０Ａがユーザインターフェース１Ａを操作することによって選択したカラオケ曲の伴奏音データと、ユーザ３０Ａの歌唱データは、ミキサー６Ａによってミックスされ、アンプ７Ａを介してスピーカ８Ａから出力される。
【００６０】
また、カラオケ装置１０Ｂからは、ユーザ３０Ｂの歌唱データ（Ｖｏ．Ｂ）が送信されてくるが、このユーザ３０Ｂの歌唱データ（Ｖｏ．Ｂ）は、カラオケ装置１０Ａにおいては、ＣＰＵ２Ａがキーコントローラ３Ａを制御することにより、ハーモニーを構成するキーに自動的に変更される。
【００６１】
具体的には、キーコントローラ３Ａは、カラオケ曲の伴奏音データの進行情報と、ハーモニーデータベース１１Ａに記録された譜面データとを照合し、受信したユーザ３０Ｂの歌唱データ（Ｖｏ．Ｂ）を、ハーモニーを構成するキーの歌唱データ（Ｖｏ．Ｂ’）とするようにリアルタイムに信号処理を行う。
【００６２】
このハーモニーを構成するキーに変更されたユーザ３０Ｂの歌唱データ（Ｖｏ．Ｂ’）は、ミキサー６Ａによって、カラオケ曲の伴奏音データ（ＭＩ）と、ユーザ３０Ａの歌唱データ（Ｖｏ．Ａ）とともにミックスされ、アンプ７Ａを介してスピーカ８Ａから出力される。
【００６３】
したがって、ユーザ３０Ｂは通常のキーで歌唱しているにも拘わらず、拠点Ａにおいては、ユーザ３０Ａの歌唱音とユーザ３０Ｂの歌唱音がハーモニーを構成して再生されることになる。
【００６４】
一方、拠点Ｂにおいては、カラオケ装置１０Ａから、ユーザ３０Ａの歌唱データ（Ｖｏ．Ａ）が送信されてくる。このユーザ３０Ａの歌唱データ（Ｖｏ．Ａ）は、カラオケ装置１０Ｂにおいては、ＣＰＵ２Ｂがキーコントローラ３Ｂを制御することにより、ハーモニーを構成するキーに自動的に変更される。
【００６５】
具体的には、キーコントローラ３Ｂは、カラオケ曲の伴奏音データの進行情報と、ハーモニーデータベース１１Ｂに記録された譜面データとを照合し、受信したユーザ３０Ａの歌唱データ（Ｖｏ．Ａ）を、ハーモニーを構成するキーの歌唱データ（Ｖｏ．Ａ’）とするようにリアルタイムに信号処理を行う。
【００６６】
このハーモニーを構成するキーに変更されたユーザ３０Ａの歌唱データ（Ｖｏ．Ａ’）は、ミキサー６Ｂによって、カラオケ曲の伴奏音データ（ＭＩ）と、ユーザ３０Ｂの歌唱データ（Ｖｏ．Ｂ）とともにミックスされ、アンプ７Ｂを介してスピーカ８Ｂから出力される。
【００６７】
したがって、ユーザ３０Ａは通常のキーで歌唱しているにも拘わらず、拠点Ｂにおいては、ユーザ３０Ｂの歌唱音とユーザ３０Ａの歌唱音がハーモニーを構成して再生されることになる。
【００６８】
このように、本実施形態によれば、それぞれの拠点のユーザは普通のキーで歌唱しているにも拘わらず、他の拠点のユーザの歌唱音がハーモニーを構成するキーに変更されて再生されるので、それぞれの拠点において、ハーモニーを構成するデュエットを楽しむことができる。
【００６９】
なお、本実施形態においては、一方の拠点のカラオケ装置から送信されてくる歌唱データを、他方の拠点のカラオケ装置でハーモニーを構成するように信号処理を行ったが、一方の拠点のカラオケ装置から送信する前にこのような信号処理を行い、その信号処理を行った歌唱データを他方の拠点のカラオケ装置に送信するようにしてもよい。
【００７０】
このように送信前に信号処理を行う場合には、一方の拠点のカラオケ装置のユーザの歌唱データを信号処理したデータと、カラオケ用の伴奏音データとをミックスして他の拠点のカラオケ装置に送信するようにしてもよい。
【００７１】
また、ハーモニーを構成するように歌唱データを信号処理する工程は、カラオケ装置１０Ａとカラオケ装置１０Ｂとを接続するネットワーク２０上の装置において実行するようにしてもよい。
【００７２】
以上のように、本実施形態によれば、各拠点では普通にカラオケ曲の伴奏音に合わせて歌唱しているにも拘わらず、他の拠点の歌唱をハーモニー効果のある歌唱として楽しむことができる。
【００７３】
＜Ｃ：第３実施形態＞
次に、本発明の第３実施形態を図３に基づいて説明する。第１実施形態との共通個所には同一符号を付して説明を省略する。
本実施形態は、歌唱データの音高を、選択した楽曲データのメインメロディーの音高に近づける補正を行う通信カラオケシステム３００について説明する。なお、本実施形態のカラオケ装置１０Ａとカラオケ装置１０Ｂは、それぞれピッチ補正手段１２Ａとピッチ補正手段１２Ｂが備えられている点を除いては、第１実施形態のカラオケ装置１０Ａおよびカラオケ装置１０Ｂと同じ構成である。
【００７４】
本実施形態においても、拠点Ａのユーザ３０Ａがユーザインターフェース１Ａを操作して、カラオケ装置１０Ａに備えられた曲データベース５Ａの中から任意に選択したカラオケ曲で、拠点Ｂのユーザ３０Ｂと遠隔地デュエットを行う場合について説明する。
【００７５】
ユーザ３０Ａがユーザインターフェース１Ａを操作することによって、ピッチ補正を行うレベルを指定すると、ピッチ補正手段１２Ａは、マイク９Ａによって入力されたユーザ３０Ａの歌唱データ（Ｖｏ．Ａ）の音高を、選択した楽曲データのメインメロディーの音高に近づけるように補正し、補正歌唱データ（Ｖｏ．Ａ’）を生成する。
【００７６】
このユーザ３０Ａの補正歌唱データ（Ｖｏ．Ａ’）とカラオケ曲の伴奏音データ（ＭＩ）は、ミキサー６Ａによってミックスされ、アンプ７Ａを介してスピーカ８Ａから出力される。
【００７７】
また、カラオケ装置１０Ｂからは、ユーザ３０Ｂの補正歌唱データ（Ｖｏ．Ｂ’）が送信されてくるが、このユーザ３０Ｂの補正歌唱データ（Ｖｏ．Ｂ’）も、ユーザ３０Ａの補正歌唱データ（Ｖｏ．Ａ’）とカラオケ曲の伴奏音データ（ＭＩ）とともに、ミキサー６Ａによってミックスされ、アンプ７Ａを介してスピーカ８Ａから出力される。
【００７８】
さらに、ユーザ３０Ａの補正歌唱データ（Ｖｏ．Ａ’）とカラオケ曲の伴奏音データ（ＭＩ）がミックスされたデータ（Ｖｏ．Ａ’＋ＭＩ）は、通信インターフェース４Ａを介してカラオケ装置１０Ｂに送信される。
【００７９】
一方、拠点Ｂにおいては、ユーザ３０Ｂがユーザインターフェース１Ｂを操作することによって、ピッチ補正を行うレベルを指定すると、ピッチ補正手段１２Ｂは、マイク９Ｂによって入力されたユーザ３０Ｂの歌唱データ（Ｖｏ．Ｂ）の音高を、選択した楽曲データのメインメロディーの音高に近づけるように補正し、補正歌唱データ（Ｖｏ．Ｂ’）を生成する。
【００８０】
このユーザ３０Ｂの補正歌唱データ（Ｖｏ．Ｂ’）はミキサー６Ｂに入力され、アンプ７Ｂを介してスピーカ８Ｂから出力される。
【００８１】
また、カラオケ装置１０Ａからは、ユーザ３０Ａの補正歌唱データ（Ｖｏ．Ａ’）とカラオケ曲の伴奏データ（ＭＩ）がミックスされたデータ（Ｖｏ．Ａ’＋ＭＩ）が送信されてくるが、このデータもユーザ３０Ｂの補正歌唱データ（Ｖｏ．Ｂ’）とともに、ミキサー６Ａによってミックスされ、アンプ７Ｂを介してスピーカ８Ｂから出力される。
【００８２】
さらに、ユーザ３０Ｂの補正歌唱データ（Ｖｏ．Ｂ’）は、通信インターフェース４Ｂを介してカラオケ装置１０Ａに送信される。
【００８３】
以上のように、本実施形態によれば、自分の歌唱の音高を、楽曲データのメインメロディの音高に近づけるように補正したうえで、他の拠点に送信することができる。
【００８４】
なお、本実施形態においては、カラオケ装置１０Ａから送信するデータを、補正歌唱データとカラオケ曲の伴奏音データとをミックスしたデータとしたが、これらは別々のデータとして送信するようにしてもよい。
【００８５】
カラオケ装置１０Ａで実行しているユーザ３０Ａの歌唱データに対するピッチ補正処理は、カラオケ装置１０Ｂで実行するようにしてもよい。この場合、拠点Ａにおいては、補正されていないユーザ３０Ａの歌唱を聞き、拠点Ｂにおいては、ピッチ補正されたユーザ３０Ａの歌唱を聞くことになる。
【００８６】
逆に、カラオケ装置１０Ｂで実行しているユーザ３０Ｂの歌唱データに対するピッチ補正処理は、カラオケ装置１０Ａで実行するようにしてもよい。この場合、拠点Ｂにおいては、補正されていないユーザ３０Ｂの歌唱を聞き、拠点Ａにおいては、ピッチ補正されたユーザ３０Ｂの歌唱を聞くことになる。
【００８７】
このように、一方の拠点のカラオケ装置から送信されてきた歌唱データを、他方の拠点のカラオケ装置においてピッチ補正するようにしてもよいし、一方の拠点のカラオケ装置から送信されてきた補正歌唱データを、他方の拠点のカラオケ装置においてさらにピッチ補正するようにしてもよい
【００８８】
また、以上のようなピッチ補正の処理工程は、カラオケ装置１０Ａとカラオケ装置１０Ｂとを接続するネットワーク２０上の装置において実行するようにしてもよい。
【００８９】
以上のように、本実施形態によれば、自分の歌唱の音高を、選択した楽曲データのメインメロディの音高に近づけるように補正した後に、相手の拠点のカラオケ装置に送信し、ピッチ補正された歌唱を相手に聞かせることができる。また、他の拠点から送信されてきた歌唱データを、相手に知られずに、ピッチ補正して聞くことができる。したがって、いずれかのユーザまたは両方のユーザの歌唱能力が劣る場合でも適正なピッチでのデュエットを楽しむことができる。
【００９０】
＜Ｄ：第４実施形態＞
次に、本発明の第４実施形態を図４に基づいて説明する。本実施形態は、相手の歌唱データに対してボイスチェンジ処理を行う通信カラオケシステム４００について説明する。なお、本実施形態のカラオケ装置１０Ａとカラオケ装置１０Ｂは、それぞれボイスチェンジ手段１３Ａとボイスチェンジ手段１３Ｂが備えられている点を除いては、第１実施形態のカラオケ装置１０Ａおよびカラオケ装置１０Ｂと同じ構成である。なお、ボイスチェンジとは、男性の声を女性の声に変えたり、電子的な声に変えたりすることをいう。
【００９１】
本実施形態においても、拠点Ａのユーザ３０Ａがユーザインターフェース１Ａを操作して、カラオケ装置１０Ａに備えられた曲データベース５Ａの中から任意に選択したカラオケ曲で、拠点Ｂのユーザ３０Ｂと遠隔地デュエットを行う場合について説明する。
【００９２】
ユーザ３０Ａがユーザインターフェース１Ａを操作することによって、ボイスチェンジ処理を行うことを指定すると、ボイスチェンジ手段１３Ａは、マイク９Ａによって入力されたユーザ３０Ａの歌唱データ（Ｖｏ．Ａ）に対してボイスチェンジ処理を行い、ボイスチェンジ歌唱データ（Ｖｏ．Ａ’）を生成する。
【００９３】
このユーザ３０Ａのボイスチェンジ歌唱データ（Ｖｏ．Ａ’）とカラオケ曲の伴奏音データ（ＭＩ）は、ミキサー６Ａによってミックスされ、アンプ７Ａを介してスピーカ８Ａから出力される。
【００９４】
また、カラオケ装置１０Ｂからは、ユーザ３０Ｂのボイスチェンジ歌唱データ（Ｖｏ．Ｂ’）が送信されてくるが、このユーザ３０Ｂのボイスチェンジ歌唱データ（Ｖｏ．Ｂ’）も、ユーザ３０Ａのボイスチェンジ歌唱データ（Ｖｏ．Ａ’）とカラオケ曲の伴奏音データ（ＭＩ）とともに、ミキサー６Ａによってミックスされ、アンプ７Ａを介してスピーカ８Ａから出力される。
【００９５】
さらに、ユーザ３０Ａのボイスチェンジ歌唱データ（Ｖｏ．Ａ’）とカラオケ曲の伴奏音データ（ＭＩ）がミックスされたデータ（Ｖｏ．Ａ’＋ＭＩ）は、通信インターフェース４Ａを介してカラオケ装置１０Ｂに送信される。
【００９６】
一方、拠点Ｂにおいては、ユーザ３０Ｂがユーザインターフェース１Ｂを操作することによって、ボイスチェンジ処理を行うことを指定すると、ボイスチェンジ手段１３Ｂは、マイク９Ｂによって入力されたユーザ３０Ｂの歌唱データ（Ｖｏ．Ｂ）に対してボイスチェンジ処理を行い、ボイスチェンジ歌唱データ（Ｖｏ．Ｂ’）を生成する。
【００９７】
このユーザ３０Ｂのボイスチェンジ歌唱データ（Ｖｏ．Ｂ’）はミキサー６Ｂに入力され、アンプ７Ｂを介してスピーカ８Ｂから出力される。
【００９８】
また、カラオケ装置１０Ａからは、ユーザ３０Ａのボイスチェンジ歌唱データ（Ｖｏ．Ａ’）とカラオケ曲の伴奏データ（ＭＩ）がミックスされたデータ（Ｖｏ．Ａ’＋ＭＩ）が送信されてくるが、このデータもユーザ３０Ｂのボイスチェンジ歌唱データ（Ｖｏ．Ｂ’）とともに、ミキサー６Ａによってミックスされ、アンプ７Ｂを介してスピーカ８Ｂから出力される。
【００９９】
さらに、ユーザ３０Ｂのボイスチェンジ歌唱データ（Ｖｏ．Ｂ’）は、通信インターフェース４Ｂを介してカラオケ装置１０Ａに送信される。
【０１００】
以上のように、本実施形態によれば、自分の歌唱をボイスチェンジして他拠点に聞かせて楽しむことができる。
【０１０１】
なお、本実施形態においては、カラオケ装置１０Ａから送信するデータを、ボイスチェンジデータとカラオケ曲の伴奏音データとをミックスしたデータとしたが、これらは別々のデータとして送信するようにしてもよい。
【０１０２】
カラオケ装置１０Ａで実行しているユーザ３０Ａの歌唱データに対するボイスチェンジ処理は、カラオケ装置１０Ｂで実行するようにしてもよい。この場合、拠点Ａにおいては、ボイスチェンジされていないユーザ３０Ａの歌唱を聞き、拠点Ｂにおいては、ユーザ３０Ａに知られることなく、ボイスチェンジされたユーザ３０Ａの歌唱を聞くことになる。
【０１０３】
逆に、カラオケ装置１０Ｂで実行しているユーザ３０Ｂの歌唱データに対するボイスチェンジ処理は、カラオケ装置１０Ａで実行するようにしてもよい。この場合、拠点Ｂにおいては、ボイスチェンジされていないユーザ３０Ｂの歌唱を聞き、拠点Ａにおいては、ユーザ３０Ｂに知られることなく、ボイスチェンジされたユーザ３０Ｂの歌唱を聞くことになる。
【０１０４】
また、以上のようなボイスチェンジの処理工程は、カラオケ装置１０Ａとカラオケ装置１０Ｂとを接続するネットワーク２０上の装置において実行するようにしてもよい。
【０１０５】
さらに、第１実施形態、第２実施形態、および、第３実施形態の各カラオケ装置に、本実施形態のボイスチェンジ手段を備え、各実施形態におけるキーコントロール処理、ハーモニー処理、または、ピッチ補正処理と、ボイスチェンジ処理とを組み合わせるようにしてもよい。
【０１０６】
以上のように、本実施形態によれば、自分の歌唱をボイスチェンジして他拠点に聞かせて楽しむことができる。また、他の拠点の歌唱を相手に知られずにボイスチェンジして聞いて楽しむことができる。
＜Ｅ：応用＞
【０１０７】
なお、上述した全ての実施形態においては、２つのカラオケ装置を接続した例について説明したが、２以上の複数のカラオケ装置を接続する場合にも適用可能である。また、各信号処理は、それぞれのカラオケ装置内で行う例について説明したが、カラオケ装置を接続するネットワーク上に制御用の装置を設置し、その装置で信号処理を行うようにしてもよい。このような構成にすれば、各拠点におけるカラオケ装置の処理負担を軽減することができる。
【０１０８】
また、上述した全ての実施形態では、一つの拠点のカラオケ装置に装備された曲データベースからカラオケ曲の伴奏音データを出力する例について説明したが、カラオケ曲の伴奏音データを出力する装置を別の装置として、ネットワーク上に配置し、遠隔操作で制御するようにしてもよい。
【０１０９】
上述した実施形態では、本発明を通信カラオケ装置に適用した例について説明したが、本発明はこのような例に限定されるものではない。例えば、互いに遠隔地にいながら、生演奏のセッションを行う場合にも適用可能である。セッションの場合には、それぞれの装置から、歌唱データの他に楽器の演奏をマイク等で入力すればよい。また、セッションに参加するメンバがそれぞれ自分で演奏するパートを抜いた残りの楽曲データである、いわゆるマイナスワン形式の伴奏データを用いるようにしてもよい。また、ピアノの生演奏で合唱を行う場合にも適用が可能である。この場合には、ピアノの生演奏と合唱の歌唱データをマイクで入力すればよい。さらには、互いに遠隔地にいながら、演奏なしのアカペラで合唱を行うような場合にも適用可能である。この場合には、それぞれのパートの歌唱データをマイクで入力すればよい。
【符号の説明】
【０１１０】
１００，２００，３００，４００……通信カラオケシステム、１Ａ，１Ｂ……ユーザインターフェース、２Ａ，２Ｂ……ＣＰＵ、３Ａ，３Ｂ……キーコントローラー、４Ａ，４Ｂ……通信インターフェース、５Ａ……曲データベース、６Ａ，６Ｂ……ミキサー、７Ａ，７Ｂ……アンプ、８Ａ，８Ｂ……スピーカ、９Ａ，９Ｂ……マイク、１０Ａ，１０Ｂ……カラオケ装置、２０……ネットワーク。
【図１】
2013217953.tif 000003
【図２】
2013217953.tif 000004
【図３】
2013217953.tif 000005
【図４】
2013217953.tif 000006